(57)【要約】【課題】  ボトムケースとトップケースとを合わせることによってキャビネットが構成されるプロジェクタにおいて、両手でキャビネットを挟んで持ち運んだり持ち上げたりするときに、不慮に手を滑らせてプロジェクタを落とすという事態を起こりにくくする。【解決手段】  ボトムケース２とトップケース３との左右の各合わせ箇所に介在された弾力性を備えるスペーサ６に、キャビネット１の外面に重なり合ってボトムケース２とトップケース３との合わせ跡１２の略全体を覆い隠す被覆体５を一体に設ける。スペーサ６と被覆体５とを細長形状のゴム又はシリコン樹脂により形成して被覆体５の表面を滑りにくくする。被覆体５の表面を、幅方向中央部に近い箇所ほど膨らみ出た湾曲形状に形成する。【選択図】        図５Ａ
2006227056.tif 000002
【特許請求の範囲】
【請求項１】
ボトムケースとトップケースを合わせることによって組み立てられたキャビネットを備え、かつ、両手で持ち上げることのできる大きさ及び重さを有するプロジェクタにおいて、
ビス止めにより合わせ結合されたボトムケースとトップケースとの左右の各合わせ箇所の略前全長部分に弾力性を備えるスペーサが弾圧状態で挟持されて介在され、そのスペーサに、中空箱形に構成された上記キャビネットの外面に重なり合ってそのキャビネットの左右両側面に直線状に現れるボトムケースとトップケースとの合わせ跡の略全体を覆い隠す被覆体が一体に備わり、それらのスペーサと被覆体とが細長形状のゴム又はシリコン樹脂により形成されてその被覆体の表面に上記キャビネットの表面よりも滑りにくい性質が付与されていると共に、その被覆体の表面が、幅方向中央部に近い箇所ほど上記キャビネットの側方へ膨らみ出た湾曲形状に形成され、
上記合わせ箇所に幅広溝部とその幅広溝部に連通して上記キャビネットの左右両側面に直線状に現れる上記合わせ跡を形成する幅狭溝部とを有する蟻溝が形成され、上記スペーサが、その蟻溝の幅広溝部に介在された幅広片部とその幅狭溝部に介在されたリブ状の幅狭突部とを備え、その幅狭突部に上記被覆体が連設されていることを特徴とするプロジェクタ。
【請求項２】
ボトムケースとトップケースを合わせることによって組み立てられたキャビネットを備え、かつ、両手で持ち上げることのできる大きさ及び重さを有するプロジェクタにおいて、
ボトムケースとトップケースとの合わせ箇所に弾力性を備えるスペーサが介在されていると共に、そのスペーサに、上記キャビネットの外面に現れるボトムケースとトップケースとの合わせ跡を覆い隠す被覆体が一体に備わり、その被覆体の表面にキャビネットの表面よりも滑りにくい性質が付与されていることを特徴とするプロジェクタ。
【請求項３】
上記キャビネットが中空箱形に構成されてそのキャビネットの左右両側面に直線状に現れる上記合わせ跡の略全体が上記被覆体によって覆い隠されている請求項２に記載したプロジェクタ。
【請求項４】
上記スペーサと上記被覆体とが細長形状のゴム又はシリコン樹脂でなる請求項２又は請求項３に記載したプロジェクタ。
【請求項５】
上記スペーサが上記合わせ箇所で弾圧状態で挟持されている請求項２又は請求項４のいずれか１項に記載したプロジェクタ。
【請求項６】
上記合わせ箇所に幅広溝部とその幅広溝部に連通して上記キャビネットの左右両側面に直線状に現れる上記合わせ跡を形成する幅狭溝部とを有する蟻溝が形成され、上記スペーサが、その蟻溝の幅広溝部に介在された幅広片部とその幅狭溝部に介在されたリブ状の幅狭突部とを備え、その幅狭突部に上記被覆体が連設されている請求項２ないし請求項５のいずれか１項に記載したプロジェクタ。
【発明の詳細な説明】
【技術分野】
【０００１】
本発明は、プロジェクタ、特に、ボトムケースとトップケースを合わせることによって組み立てられたキャビネットを備えていて、両手で持ち上げることのできる大きさ及び重さを有するプロジェクタに関する。
【背景技術】
【０００２】
従来より、プロジェクタのキャビネットはボトムケースとトップケースとを合わせることによって組み立てられている（たとえば特許文献１、特許文献２参照）。そして、特許文献１の図１には、プロジェクタを持ち運ぶときに手で下げることのできる手提げ用のハンドルが示され、特許文献２では、爪の係合によってケースを結合するようにしたネジレス構造が示唆されている。また、プロジェクタを頭上の高所に手で持ち上げてセッティングする場合があるという事実も知られている（たとえば特許文献３参照）。
【０００３】
ところで、キャビネットが樹脂成形体でなるボトムケースとトップケースとを合わせて組み立てられるプロジェクタでは、ボトムケースとトップケースとの合わせ跡がキャビネットの左右の両側面などに直線状に現れる（特許文献１の図１など参照）。
【０００４】
一方、ボトムケースとトップケースの合わせ箇所では、成形樹脂の不可避的な膨張収縮やその他の原因に起因する微少な位置ずれなどを生じて合わせ跡が目立って外観を損ねることがある。この場合、寸法誤差を修正する再加工を行って位置ずれを許容範囲に収めるという対策を講じることができることがあるけれども、そのような再加工を行うことは面倒で煩わしい。そこで、位置ずれが許容範囲を越えているときには不良品としてそのボトムケースやトップケースを廃棄してしまうことも多く、そのような廃棄処理を行うことがコスト高につながることもある。また、寸法誤差が許容範囲に収まっている場合であっても、内蔵スピーカの起動により上記合わせ箇所が共振してキャビネットに所謂びびりなどを生じる可能性を否定できない。
【０００５】
他方、両手で持ち上げることのできる大きさ及び重さのプロジェクタでは、手で持ち運ぶことが想定されているとしても、従来は、特許文献１に見られる手提げ用のハンドルをキャビネットに付設しておくという対策が講じられていたに過ぎない。そのために、プロジェクタを頭上の高所にセッティングするようなときには、そのようなハンドルの有無に関係なく、キャビネットを両手で掴んで頭上に持ち上げて適切な姿勢にセッティングするという操作を行うことが多々行われる。また、プロジェクタを両手で掴んで持ち運ぶということも多々行われる。
【特許文献１】特許第３５１２０３３号公報（図１）
【特許文献２】特開２００２−６４２８４号公報（０００４、００１３、００１４、図１３）
【特許文献３】特開２００４−３０２３５０号公報
【発明の開示】
【発明が解決しようとする課題】
【０００６】
上記したように、従来は、ボトムケースとトップケースの合わせ箇所の位置ずれによりキャビネットの外観が損なわれ、不良品が発生してコスト高になるという問題や、位置ずれを修正する再加工を行って不良品の発生を抑える対策を講じることが面倒で煩わしいという問題、合わせ箇所でびびり音が発生する可能性があるという問題などがあった。
【０００７】
また、プロジェクタを両手で持ち運んだり頭上の高所にセッティングするということが多々行われるために、両手で持ち運ぶときや持ち上げるときにそのプロジェクタを掴んだ手を滑らせて不慮に落としてしまうという事態を未然に防ぐことのできる対策を講じておくことが望まれる。
【０００８】
本発明は以上の問題や状況に鑑みてなされたものであり、ボトムケースやトップケースに不可避的な寸法誤差が生じていても位置ずれを修正する再加工を行わずに不良品の発生を抑制してコストダウンを図ることができ、併せて、ボトムケースとトップケースとの合わせ箇所でびびり音が発生することを防止することができるだけでなく、プロジェクタを両手で持ち運ぶときや持ち上げるときに、手を滑らせてそのプロジェクタを不慮に落としてしまうという事態を起こりにくくすることのできるプロジェクタを提供することを目的とする。
【課題を解決するための手段】
【０００９】
本発明に係るプロジェクタは、ボトムケースとトップケースを合わせることによって組み立てられたキャビネットを備え、かつ、両手で持ち上げることのできる大きさ及び重さを有するプロジェクタにおいて、ボトムケースとトップケースとの合わせ箇所に弾力性を備えるスペーサが介在されていると共に、そのスペーサに、上記キャビネットの外面に現れるボトムケースとトップケースとの合わせ跡を覆い隠す被覆体が一体に備わり、その被覆体の表面にキャビネットの表面よりも滑りにくい性質が付与されている、というものである。
【００１０】
この構成であると、弾力性を備えたスペーサが、ボトムケース及びトップケースの合わせ箇所での寸法誤差を吸収することに役立って両ケースの結合安定性が向上するだけでなく、その合わせ箇所でのびびり音の発生も抑制される。そのため、ボトムケースやトップケースに不可避的な寸法誤差に起因する位置ずれ修正のための再加工を行う必要がなくなる。その上、仮に、合わせ箇所での寸法誤差をスペーサによって十分には吸収させることができない場合であっても、キャビネットの外面に現れるボトムケースとトップケースとの合わせ跡が上記スペーサと一体の被覆体によって覆い隠されて見えなくなっているので、その合わせ跡の不良が目立ってキャビネットの外観が損なわれるという事態が起こり得ない。さらに、被覆体はその表面がキャビネットの表面よりも滑りにくいので、そのキャビネットを手で持ち運んだ持ち上げたりするときには被覆体が手を滑らせるという事態を起こりにくくすることに役立つ。そのため、被覆体を備えていないキャビネットを手で持ち運んだり持ち上げたりする場合に比べ、手を滑らせてそのプロジェクタを不慮に落としてしまうという事態が起こりにくくなる。
【００１１】
そのほか、被覆体を一体に有するスペーサを合わせ箇所に介在してあるために、被覆体がスペーサによってキャビネットに保持される。そのために、被覆体をキャビネットに保持させるためのビス止めなどの対策を別途講じる必要がないという利点がある。
【００１２】
本発明では、上記キャビネットが中空箱形に構成されてそのキャビネットの左右両側面に直線状に現れる上記合わせ跡の略全体が上記被覆体によって覆い隠されていてもよい。これによれば、キャビネットをその両側から両手で持ったときに手の平が必ず被覆体に当たるため、手を滑らせてプロジェクタを不慮に落としてしまうということがほとんどなくなる。
【００１３】
本発明では、上記スペーサと上記被覆体とが細長形状のゴム又はシリコン樹脂でなるという構成を採用することが可能であり、これによれば、ゴム又はシリコン樹脂の特性による表面の滑りにくさによって、手を滑らせてプロジェクタを不慮に落としてしまうということがほとんどなくなる。また、ゴム又はシリコン樹脂は弾力性に富む素材であるために、スペーサによる寸法誤差の吸収作用やびびり音の抑制作用が良好に発揮される。
【００１４】
本発明では、上記スペーサが上記合わせ箇所で弾圧状態で挟持されているという構成を採用することが可能であり、これによれば、スペーサによる寸法誤差の吸収作用やびびり音の抑制作用が顕著に発揮されるほか、被覆体がそのスペーサによって合わせ跡を覆う位置に確実に配備される。また、スペーサによって被覆体がキャビネットにぐらつくことなく確実に保持されることになるため、被覆体が合わせ箇所から位置ずれして合わせ箇所が見えてしまうという事態が起こらない。
【００１５】
本発明では、上記合わせ箇所に幅広溝部とその幅広溝部に連通して上記キャビネットの左右両側面に直線状に現れる上記合わせ跡を形成する幅狭溝部とを有する蟻溝が形成され、上記スペーサが、その蟻溝の幅広溝部に介在された幅広片部とその幅狭溝部に介在されたリブ状の幅狭突部とを備え、その幅狭突部に上記被覆体が連設されているという構成を採用することが可能であり、これによれば、プロジェクタを両手で持ったときに被覆体に把持力が加わっても、スペーサの幅広片部が合わせ箇所の蟻溝の幅広溝部に係合していることによりスペーサが合わせ箇所から滑り出て脱落するという事態が起こらない。
【００１６】
本発明に係るプロジェクタは、ボトムケースとトップケースを合わせることによって組み立てられたキャビネットを備え、かつ、両手で持ち上げることのできる大きさ及び重さを有するプロジェクタにおいて、ビス止めにより合わせ結合されたボトムケースとトップケースとの左右の各合わせ箇所の略前全長部分に弾力性を備えるスペーサが弾圧状態で挟持されて介在され、そのスペーサに、中空箱形に構成された上記キャビネットの外面に重なり合ってそのキャビネットの左右両側面に直線状に現れるボトムケースとトップケースとの合わせ跡の略全体を覆い隠す被覆体が一体に備わり、それらのスペーサと被覆体とが細長形状のゴム又はシリコン樹脂により形成されてその被覆体の表面に上記キャビネットの表面よりも滑りにくい性質が付与されていると共に、その被覆体の表面が、幅方向中央部に近い箇所ほど上記キャビネットの側方へ膨らみ出た湾曲形状に形成され、上記合わせ箇所に幅広溝部とその幅広溝部に連通して上記キャビネットの左右両側面に直線状に現れる上記合わせ跡を形成する幅狭溝部とを有する蟻溝が形成され、上記スペーサが、その蟻溝の幅広溝部に介在された幅広片部とその幅狭溝部に介在されたリブ状の幅狭突部とを備え、その幅狭突部に上記被覆体が連設されている、という構成を採用することによっていっそう具体化される。この発明によると、特に、キャビネットを持った手が被覆体の表面形状により確実に被覆体に当たるようになるので、手を滑らせるという事態がいっそう確実に防止されるという利点がある。この発明の他の作用については後述する実施形態を参照して詳細に説明する。
【発明の効果】
【００１７】
以上のように本発明によれば、被覆体がボトムケースとトップケースとの合わせ跡を覆い隠しているために、その合わせ箇所での合わせ跡の外観の良否に関係なくキャビネットの外観が良好になり、しかも、その被覆体によってキャビネットのデザインの自由度を高めることもできるようになるという効果が奏される。
【００１８】
また、ボトムケースとトップケースとの合わせ箇所に弾力性を有するスペーサが介在されていることにより、ボトムケースとトップケースとの結合安定性が向上すると共に、寸法誤差に起因する不良品の発生が抑制されてコストダウンが促進されるという効果が得られ、さらに、内蔵スピーカを大音量で駆動したときでも合わせ箇所でのびびり音が発生しなくなってユーザにとっての使い勝手が向上するという効果が奏される。
【００１９】
さらに、プロジェクタを両手で持ち運ぶときや持ち上げるときには、スペーサと一体の被覆体が手に当たることにより、手を滑らせるという不慮の事態を起こりにくくすることに役立つので、プロジェクタを不慮に落としてしまうという事態が防止される。したがって、プロジェクタを手で持ち運ぶときや持ち上げるときに手を滑らせてプロジェクタを落としてしまうという事故が起こりにくくなる。
【００２０】
その他、被覆体が合わせ箇所に介在されたスペーサに一体に連設されているために、被覆体をキャビネットに保持させるためにビス止めなどの対策を別途講じる必要がないという利点もある。
【発明を実施するための最良の形態】
【００２１】
図１Ａは本発明の実施形態に係るプロジェクタの正面図、図１Ｂは同平面図、図１Ｃは同側面図である。また、図２Ａは被覆体５の一部省略側面図、図２Ｂは被覆体５とスペーサ６とを示す一部省略平面図、図２Ｃは図２ＢのＩＩＣ−ＩＩＣ線断面図である。さらに、図３Ａはボトムケース２の平面図、図３Ｂはトップケース３の内面側を示した平面図、図４Ａは図３ＢのＩＶＡ−ＩＶＡ線に沿う部分の拡大断面図、図４Ｂは図３ＢのＩＶＢ−ＩＶＢ線に沿う部分の拡大断面図、図４Ｃは図３ＡのＩＶＣ−ＩＶＣ線に沿う部分の拡大断面図、図５Ａ及び図５Ｂは合わせ箇所の拡大断面図である。
【００２２】
このプロジェクタのキャビネット１は、樹脂成形体でなるボトムケース２と同じく樹脂成形体でなるトップケース３とを上下方向で合わせることによって中空箱形の主要部分が構成されていて、その合わせ箇所の合わせ跡１２が、キャビネット１の左右両側面及び背面に直線状に現れている。また、ボトムケース２とトップケース３とを合わせることによって形成された偏平な中空箱形の主要部分の前端にはフロントパネル４が装着されている。そして、フロントパネル４に投写用のレンズ４１や通風口４２が備わり、さらに、ボトムケース２には高さ調整機能を備えた座脚部２１などが備わり、トップケース３には制御ボタン３１などが配備されている。さらに、図３Ａや図３Ｂに示したように、ボトムケー２やトップケース３にはそれらの４隅にねじ孔２２や締付けビスの挿通孔３２が備わっていて、ボトムケー２やとップケース３とを合わせた後、締付けビスの挿通孔３２に挿通させた締付けビスをねじ孔２２にねじ込んで締め付けることによって両ケース２，３が合わせ結合されるようになっている。
【００２３】
このプロジェクタは、キャビネット１の内部に光学系やその駆動系といった必要な要素が内蔵されていて、キャビネット１を両手で掴んで持ち上げることのできる大きさや重さを有している。そのため、両手で持ち運んだり持ち上げたりする操作がそのプロジェクタに対して行われることが想定されている。
【００２４】
図１Ａ、図１Ｂ、図１Ｃのように、キャビネット１の左右両側面のボトムケース２とトップケース３との合わせ箇所でその外面に現れている直線状の合わせ跡１２は、その合わせ跡１２を跨ぐように配備された細長い被覆体５により略全長部分が見えないように覆い隠されている。このため、ボトムケース２やトップケース３に不可避的に生じている寸法誤差により上記合わせ箇所でボトムケース２とトップケース３とが位置ずれしてその合わせ跡１２が見苦しくなるおそれがあっても、そのような合わせ跡１２が細長い被覆体５により覆い隠されていることにより見えなくなり、その合わせ跡１２の不良が目立ってキャビネット１の外観が損なわれるという事態が起こり得ない。したがって、合わせ跡１２に不良を生じるおそれのあるボトムケース２やトップケース３を廃棄したり再加工したりすることなく有効に使用することができるようになり、廃棄に伴う歩留りの低下や再加工などに伴うコストの上昇が回避されることになる。
【００２５】
図２Ａ、図２Ｂ、図２Ｃのように、被覆体５はその表面が幅方向中央部に近い箇所ほど膨らみ出ていて、その背面が、後述するスペーサ６に一体に連設されている。これらのスペーサ６と被覆体５とは、ボトムケース２やトップケース３の成形材料である樹脂に比べて表面が滑りにくい性質を有する材料、たとえばゴム又はシリコン樹脂を用いて一体成形されていて、スペーサ６を図５Ａ又は図５Ｂのようにボトムケース２とトップケース３との合わせ箇所に介在させることによって、被覆体５を上記合わせ跡１２を覆い隠す位置に配備してある。
【００２６】
図４Ａ又は図４Ｂのように、ボトムケース２の合わせ箇所には段付面２５が形成されていると共に、その合わせ箇所の内面には所定の間隔を隔てて補強リブ２６が一体に形成されている（図３Ａ、図４Ｂ参照）のに対し、図４Ｃのようにトップケース３の合わせ箇所には突出片部３５が備わっている。そして、その突出片部３５を上記補強リブ２６の外側に差し込んでボトムケース２とトップケース３とを合わせると、図５Ａ及び図５Ｂのように、その合わせ箇所に幅広溝部７１と幅狭溝部７２とが連通した状態の蟻溝７が形成されるようになっている。そして、その蟻溝７の幅広溝部７１に、上記スペーサ６に具備されている幅広片部６１が介在され、そのスペーサ６に具備されているリブ状の幅狭突部６２が上記幅狭溝部７２に介在されている。
【００２７】
スペーサ６が図５Ａ及び図５Ｂに示した構造で蟻溝７に介在されていると、そのスペーサ６に連設されている被覆体５が外側へ引張られても被覆体５やスペーサ６が合わせ箇所から外れるおそれはない。したがって、キャビネット１を両手で挟んで持ち運んだり持ち上げたりしたときに、手が被覆体５に当たってその被覆体５が強く引張られたときでもその被覆体５が合わせ箇所から外れてキャビネット１が落ちるという事態が起こらず、しかも、被覆体５の表面が滑りにくい性質を有しているために手が滑ってキャビネット１を不慮に落とすおそれが少なくなる。
【００２８】
上記した合わせ箇所に介在されているスペーサ６は、ボトムケース２とトップケース３とにより弾圧状態で挟持されていても、あるいは、ボトムケース２とトップケース３との間に無負荷状態で介在されているだけであってもよい。このうち、スペーサ６が合わせ箇所に弾圧状態で挟持されている場合には、そのスペーサ６がその合わせ箇所でのボトムケース２及びトップケース３の寸法誤差を吸収することに役立って両ケース２，３の結合安定性が向上するだけでなく、内蔵スピーカを大音量で駆動させた場合でもその合わせ箇所でのびびり音の発生が抑制されるという利点がある。これに対し、無負荷状態で介在されている場合でも、合わせ箇所で寸法誤差の吸収作用やびびり音の発生を抑制する作用が幾分かは発揮される。
【００２９】
この実施形態では、キャビネット１の左右の両側面に細長い被覆体６を配備してあるので、その被覆体６を着色してキャビネット１の外観デザインに変化を持たせることができるという利点もある。
【図面の簡単な説明】
【００３０】
【図１Ａ】本発明の実施形態に係るプロジェクタの正面図である。
【図１Ｂ】同平面図である。
【図１Ｃ】同側面図である。
【図２Ａ】被覆体の一部省略側面図である。
【図２Ｂ】被覆体とスペーサとを示す一部省略平面図である。
【図２Ｃ】図２ＢのＩＩＣ−ＩＩＣ線に沿う部分の断面図である。
【図３Ａ】ボトムケースの平面図である。
【図３Ｂ】トップケースの内面側を示した平面図である。
【図４Ａ】図３ＢのＩＶＡ−ＩＶＡ線に沿う部分の拡大断面図である。
【図４Ｂ】図３ＢのＩＶＢ−ＩＶＢ線に沿う部分の拡大断面図である。
【図４Ｃ】図３ＡのＩＶＣ−ＩＶＣ線に沿う部分の拡大断面図である。
【図５Ａ】合わせ箇所の拡大断面図である。
【図５Ｂ】他の合わせ箇所の拡大断面図である。
【符号の説明】
【００３１】
１  キャビネット
２  ボトムケース
３  トップケース
５  被覆体
６  スペーサ
７  蟻溝
１２  合わせ跡
６１  幅広片部
６２  幅狭突部
７１  幅広溝部
７２  幅狭溝部
【図１Ａ】
2006227056.tif 000003
【図１Ｂ】
2006227056.tif 000004
【図１Ｃ】
2006227056.tif 000005
【図２Ａ】
2006227056.tif 000006
【図２Ｂ】
2006227056.tif 000007
【図２Ｃ】
2006227056.tif 000008
【図３Ａ】
2006227056.tif 000009
【図３Ｂ】
2006227056.tif 000010
【図４Ａ】
2006227056.tif 000011
【図４Ｂ】
2006227056.tif 000012
【図４Ｃ】
2006227056.tif 000013
【図５Ａ】
2006227056.tif 000014
【図５Ｂ】
2006227056.tif 000015